(57)【要約】【課題】回転ダイヤルを備えたスイッチ装置を、低コストで製造することができるスイッチ装置を提供する。【解決手段】スイッチング機構１９及びスイッチング機構（図示しない）は、回転ダイヤル１３を挟んで、かつ、左右逆向きに設けられている。スイッチング機構１９は、カム本体２０、プッシャ２１、スイッチ１７、被押圧体１８から構成されている。一方、前記スイッチング機構も、同様な各部材により構成されている。前記回転ダイヤル１３を正回転させると、スイッチ１７がスイッチングされる。この時、前記スイッチング機構の構成部材であるスイッチはスイッチングされない。一方、回転ダイヤル１３を逆回転させると、スイッチ１７はスイッチングされない。この時、他方の前記スイッチはスイッチングされる。その結果、回転ダイヤルを備えたスイッチ装置を、ロータリーエンコーダを使用しないことによって、低コストで製造することができる。【選択図】　　　　図１
2004063080.tif 000002
【特許請求の範囲】
【請求項１】
正逆回転自在に支持された回転操作部材と、
前記回転操作部材の正回転または逆回転に基づいてそれぞれ異なる方向に回転し、第１カム面と第２カム面とを有する第１カム体と、
前記回転操作部材の正回転時に伴う前記第１カム体の回転時の第１カム面のカム作用により、第１方向に作動するとともに、前記回転操作部材の逆回転時に伴う第１カム体の回転時の第２カム面のカム作用により第１方向とは異なる第２方向に作動する第１カムフォロワと、
前記第１カムフォロワの第１方向への作動に基づいてスイッチング作動する第１スイッチ要素とを備えたことを特徴とするスイッチ装置。
【請求項２】
前記回転操作部材の正逆回転に基づいてそれぞれ異なる方向に回転し、第３カム面と第４カム面とを有するとともに前記第１カム体とは別体の第２カム体と、
前記回転操作部材の正回転時に伴う第２カム体の回転時の第３カム面のカム作用により、第３方向に作動するとともに、前記回転操作部材の逆回転時に伴う第２カム体の第４カム面の回転時のカム作用により、第３方向とは異なる第４方向に作動する第２カムフォロワと、
前記第２カムフォロワの第３方向への作動に基づいてスイッチング作動する第２スイッチ要素とを備えたことを特徴とする請求項１に記載のスイッチ装置。
【請求項３】
前記第１カム面及び第２カム面を備える突起を第１カム体の回転周面に複数個備えたことを特徴とする請求項１又は請求項２に記載のスイッチ装置。
【請求項４】
前記第３カム面及び第４カム面を備える突起を第２カム体の回転周面に複数個備えたことを特徴とする請求項２又は請求項３に記載のスイッチ装置。
【請求項５】
前記第１カム体及び第２カム体は、前記回転操作部材を挟んだ位置に配置されていることを特徴とする請求項２に記載のスイッチ装置。
【請求項６】
前記第１カムフォロワの第２方向への作動に基づいてスイッチング作動する第３スイッチ要素を第１スイッチ要素とは別に設けたことを特徴とする請求項１に記載のスイッチ装置。
【請求項７】
前記第１カムフォロワ又は第２カムフォロワを、第１カム体又は第２カム体側へ付勢する付勢部材を備えたことを特徴とする請求項１〜請求項３のうちいずれか１項に記載のスイッチ装置。
【発明の詳細な説明】
【０００１】
【発明の属する技術分野】
本発明は、スイッチ装置に係り、詳しくは回転操作部材を有するスイッチ装置に関するものである。
【０００２】
【従来の技術】
入力装置として使用されるスイッチ装置では、回転ダイヤルを備えるとともにロータリエンコーダを備えたスイッチ装置が公知である。
【０００３】
このスイッチ装置は、例えば、回転ダイヤルを正逆回転方向に回転操作自在に設けられており、所定の回転角度ごとにクリック感が得られるように構成されている。この回転ダイヤルは、例えば２相式のロータリエンコーダなどと組み合わされている。前記ロータリエンコーダは１クリックが１回転ステップとなるようにして、その回転方向と回転角度に応じた回転ステップ数の情報を出力する。例えば、正回転方向に２クリック分の回転操作を行うと、＋２の回転ステップ数がロータリエンコーダにて検出される。一方、逆方向に２クリック分の回転操作を行うと、−２の回転ステップ数がロータリエンコーダにて検出される。
【０００４】
このようなスイッチ装置では回転ダイヤルは、ある特定の操作モードの下で回転操作が行われると、操作時に検出される回転ステップ数に応じて、所要の選択操作や入力操作、また、所要のパラメータ値の変更等が行うようにされている。
【０００５】
前記のようなスイッチ装置は、操作時に検出される回転ステップ数に応じて、所要の選択操作や入力操作、また、所要のパラメータ値の変更等ができるため、入力する手段として便利である。
【０００６】
【発明が解決しようとする課題】
ところが、上記のような従来の回転ダイヤルを備えるスイッチは、ロータリーエンコーダが高価なものであるために、高コストとなってしまう問題があった。
【０００７】
本発明は上記問題点を解決するためになされたものであり、その目的は、ロータリエンコーダと同等に回転ステップ数に応じた入力情報を入力することができ、しかも、ロータリエンコーダを備えたものよりも低コストで製造することができる回転ダイヤルを備えたスイッチ装置を提供することにある。
【０００８】
【課題を解決するための手段】
上記問題点を解決するために、請求項１に記載の発明は、正逆回転自在に支持された回転操作部材と、前記回転操作部材の正回転または逆回転に基づいてそれぞれ異なる方向に回転し、第１カム面と第２カム面とを有する第１カム体と、前記回転操作部材の正回転時に伴う前記第１カム体の回転時の第１カム面のカム作用により、第１方向に作動するとともに、前記回転操作部材の逆回転時に伴う第１カム体の回転時の第２カム面のカム作用により第１方向とは異なる第２方向に作動する第１カムフォロワと、前記第１カムフォロワの第１方向への作動に基づいてスイッチング作動する第１スイッチ要素とを備えたことを要旨とする。
【０００９】
請求項２に記載の発明は、請求項１に記載のスイッチ装置において、前記回転操作部材の正逆回転に基づいてそれぞれ異なる方向に回転し、第３カム面と第４カム面とを有するとともに前記第１カム体とは別体の第２カム体と、前記回転操作部材の正回転時に伴う第２カム体の回転時の第３カム面のカム作用により、第３方向に作動するとともに、前記回転操作部材の逆回転時に伴う第２カム体の第４カム面の回転時のカム作用により、第３方向とは異なる第４方向に作動する第２カムフォロワと、前記第２カムフォロワの第３方向への作動に基づいてスイッチング作動する第２スイッチ要素とを備えたことを要旨とする。
【００１０】
請求項３に記載の発明は、請求項１又は請求項２に記載のスイッチ装置において、前記第１カム面及び第２カム面を備える突起を第１カム体の回転周面に複数個備えたことを要旨とする。
【００１１】
請求項４に記載の発明は、請求項２又は請求項３に記載のスイッチ装置において、前記第３カム面及び第４カム面を備える突起を第２カム体の回転周面に複数個備えたことを要旨とする。
【００１２】
請求項５に記載の発明は、請求項２に記載のスイッチ装置において、前記第１カム体及び第２カム体は、前記回転操作部材を挟んだ位置に配置されていることを要旨とする。
【００１３】
請求項６に記載の発明は、請求項１に記載のスイッチ装置において、前記第１カムフォロワの第２方向への作動に基づいてスイッチング作動する第３スイッチ要素を第１スイッチ要素とは別に設けたことを要旨とする。
【００１４】
請求項７に記載の発明は、請求項１〜請求項３のうちいずれか１項に記載のスイッチ装置において、前記第１カムフォロワ又は第２カムフォロワを、第１カム体又は第２カム体側へ付勢する付勢部材を備えたことを要旨とする。
【００１５】
【発明の実施の形態】
（第１実施形態）
以下、本発明をオーディオ機器のボリュームスイッチに具体化した一実施形態を図１〜図６に従って説明する。
【００１６】
なお、本実施形態中に記載する上、下、左、右については、文中において特に断らない限り、図１の紙面中における上、下、左、右をいう。また、図１に示す状態を中立状態、図５に示す状態を正回転している状態、図６に示す状態を逆回転している状態として説明する。
【００１７】
回転操作部材としての回転ダイヤル１３を有するスイッチ装置１０は、カーオーディオの側面であるボディ１１に設けられている。該ボディ１１は、前記カーオーディオ表面に形成された板状の表面部１１ａを有しており、該表面部１１ａの一部には透孔１１ｂが形成されている。
【００１８】
前記回転ダイヤル１３は、円柱形状をなすとともに、前記透孔１１ｂを介して、該回転ダイヤル１３の一部が前記ボディ１１から外部（本実施形態では上方）に突出するように形成されている。また、前記回転ダイヤル１３は、前記ボディ１１に対して回転可能に形成されている。
【００１９】
前記回転ダイヤル１３の両側面の中心には、シャフト１４及びシャフト１１４がそれぞれ固着されており、各シャフトの一端は図示しない軸受によって支持され、その結果、前記回転ダイヤル１３は支持されている。また、前記シャフト１４及びシャフト１１４の一部には、それぞれ円柱状をなす第１カム体としてのカム本体２０及び第２カム体としてのカム本体１２０が一体的に形成されている。
【００２０】
すなわち、カム本体１２０は回転ダイヤル１３と一体回転可能にされている。
ここで、前記スイッチ装置１０は、図２、３に示すように回転ダイヤル１３を挟んで両側に、同じ構成部材からなるスイッチング機構１９とスイッチング機構１１９とを備えている。すなわち、スイッチング機構１９及びスイッチング機構１１９は、図２〜４に示すように、前記回転ダイヤル１３を挟んで左右逆向きに一対に形成されており、以下に示す作用を目的として構成されている。
【００２１】
（１）図５に示すように、前記回転ダイヤル１３を正回転させた場合には、第１スイッチ要素としてのスイッチ１７がスイッチングされ、一方、第２スイッチ要素としてのスイッチ１１７はスイッチングされない。
【００２２】
（２）図６に示すように、前記回転ダイヤル１３を逆回転させた場合には、スイッチ１１７がスイッチングされ、一方、スイッチ１７はスイッチングされない。
【００２３】
そこで、まず、スイッチング機構１９側の前記スイッチ装置１０の構成について説明する。
さて、前記表面部１１ａから離間したところには、基板１５が前記表面部１１ａと対向するように配置されている。前記基板１５の上方（表面部１１ａ存在方向）には、該基板１５を覆うように弾性を有するゴム板１６が固着されている。該ゴム板１６には、コンタクトホルダ１７ａと被押圧体１８が上方向に盛り上がるように一体形成されている。
【００２４】
前記コンタクトホルダ１７ａは、下部周縁に形成された支持部１７ｂを介して前記ゴム板１６と一体形成されている。該支持部１７ｂは、肉薄に形成されるとともに、前記ゴム板１６と一体形成されることにより、弾性を有するように形成されている。　前記コンタクトホルダ１７ａの下部には、可動接点１７ｃが固着されている。そして、該可動接点１７ｃの下方において、基板１５上には、固定接点１７ｄが配置されている。該固定接点１７ｄは、前記可動接点１７ｃと対向するように、前記基板１５上に形成されている。
【００２５】
従って、可動接点１７ｃが固定接点１７ｄと離間している状態では、前記基板１５の固定接点１７ｄとコンタクトホルダ１７ａの可動接点１７ｃとの間には離間距離ｘを有するようにスペースｓ１が形成される。それとともに、支持部１７ｂの弾性力に抗して前記コンタクトホルダ１７ａが第１方向としての下方向に移動した際には、両接点はスイッチング作動するようにされている。
【００２６】
すなわち、前記コンタクトホルダ１７ａ、支持部１７ｂ、可動接点１７ｃ及び固定接点１７ｄにより、スイッチ１７が形成されている。
一方、前記被押圧体１８は、肉薄で、かつ、弾性を有する支持部１８ａを介して前記ゴム板１６と一体形成されている。被押圧体１８は、プッシャ２１に押圧されていない状態では、支持部１８ａの弾性力により支持されて、前記基板１５とは、離間距離ｘよりも長い距離ｚ離間して配置されている。従って、被押圧体１８が基板１５と離間している状態では、前記基板１５と被押圧体１８との間には逃げスペースｓ２が形成されている。前記被押圧体１８は、支持部１８ａの弾性力に抗して下動可能とされている。また、前記被押圧体１８の上面は、前記シャフト１４の軸線方向を向くように斜状の平面を有するように形成されている。
【００２７】
コンタクトホルダ１７ａ、被押圧体１８、支持部１７ｂ，１８ａは、付勢部材に相当する。
図２、図３に示すように前記表面部１１ａと基板１５との間には、前記表面部１１ａから下方に一体的に延出して形成された第１隔壁１１ｃと第２隔壁１１ｅとが設けられている。前記第１隔壁１１ｃは、前記カム本体２０の一部を囲むように、断面Ｌ字型に形成され、その一端には、断面略長方形状に形成されたガイド部１１ｄが形成されている。また、前記第２隔壁１１ｅは、前記表面部１１ａから垂直方向に延出された板状に形成されている。
【００２８】
次にスイッチング機構１９について詳述する。スイッチング機構１９は、カム本体２０、第１カムフォロワとしてのプッシャ２１、スイッチ１７、被押圧体１８とから構成されている。
【００２９】
前記カム本体２０の回転周面には、複数（本実施形態では８つ）の突起としてのカム突起２３が所定の間隔をおいて等角度に設けられている。前記各カム突起２３は、第１カム面としてのカム第１面部２３ａと、第２カム面としてのカム第２面部２３ｂとを有する断面三角形状に形成されている。また、該カム突起２３の頂点の高さｙは前記カム本体の周面から離間距離ｘよりも若干長くなるように形成されている。
【００３０】
前記カム第１面部２３ａは、カム本体２０が正回転時にプッシャ２１の上端面を摺接可能にカム本体２０に対して、その略接線方向に向かって延びて形成されている。一方、前記は、カム本体２０が逆回転時に、プッシャ２１の側端面２２ｂを摺接可能に前記カム本体２０に対して、その略径方向に向かって延びて形成されている。
【００３１】
前記プッシャ２１は断面略Ｔ字状に形成されている。すなわち、プッシャ２１の下部は左右方向にそれぞれ延出された第２押圧部２５と、第１押圧部２４が形成され、両押圧部の連結部からは上方に延出された従動部２２が形成されている。
【００３２】
一対のピン２６は、前記両押圧部の連結部（プッシャ２１の下部中央部）において、回転ダイヤル側側面及び反回転ダイヤル側側面からそれぞれ突出されるとともに、円柱状に形成されている。
【００３３】
前記一対のピン２６に対応して、一対のガイド側壁１２が前記ボディ１１から下方に延出するように形成されている。各ガイド側壁１２は板状に形成されるとともに、上下方向に延びたガイド孔１２ａを備え、同ガイド孔１２ａにピン２６が上下方向に摺接自在、かつ、揺動自在に挿入されている。すなわち、プッシャ２１は、ガイド孔１２ａによって、上下動及び揺動自在にされている。
【００３４】
前記第１押圧部２４は、中立状態において、コンタクトホルダ１７ａの上面と当接し、コンタクトホルダ１７ａにより上方に付勢されている。なお、この状態では、基板１５の固定接点１７ｄとコンタクトホルダ１７ａの可動接点１７ｃとの間には離間距離ｘを有する。
【００３５】
一方、プッシャ２１が、ピン２６を中心として、図１において、反時計回り方向に回転した際、第１押圧部２４は、前記コンタクトホルダ１７ａと離間するように配置され、その上部先端が、前記第１隔壁１１ｃの下面と当接可能とされている。その結果、前記プッシャ２１が所定の範囲を超えて回転することを防止している。
【００３６】
前記第２押圧部２５は、中立状態において、被押圧体１８の上面と当接し、被押圧体１８により、上方に付勢されている。なお、この状態では、被押圧体１８は基板１５と距離ｚ離間している。また、中立状態において、第２押圧部２５は、前記第２隔壁１１ｅの下端と当接するように配置されている。
【００３７】
従動部２２には、その上端に鋭角部が形成され、中立状態において、コンタクトホルダ１７ａ、被押圧体１８の付勢力により鋭角部が前記各カム突起２３の谷部に当接されている。
【００３８】
前記従動部２２の上端面２２ａは、前記回転ダイヤル１３が正回転した際に、正回転方向側に位置するカム第１面部２３ａと係合し、摺接可能に斜状に形成されている。
【００３９】
従動部２２のガイド部１１ｄ側の側端面２２ｂは、中立状態及び回転ダイヤル１３を正回転して、スイッチ装置１０が中立状態から、正回転している状態に至るまで、前記ガイド部１１ｄと当接可能とされている。この結果、カム本体２０の反時計回り方向の回転時にカム第１面部２３ａと従動部２２の上端面２２ａの係合により、プッシャ２１には、ピン２６を回転中心として時計回り方向に回転モーメントが働く。しかし、第２押圧部２５が第２隔壁１１ｅに当接するとともに側端面２２ｂがガイド部１１ｄに当接しているため、プッシャ２１は回転せず、ガイド孔１２ａに沿って下方に移動する。
【００４０】
一方、前記側端面２２ｂは、カム本体２０の時計回り方向の回転時に前記カム第２面部２３ｂによって、左方に押圧され、プッシャ２１がピン２６を中心として反時計回り方向へ回転した際には、前記ガイド部１１ｄと離間する。
【００４１】
なお、スイッチング機構１１９を構成する各部材及びスイッチング機構１１９に関係する周辺の部材（以下、単にスイッチング機構１１９を構成する各部材等という）は、スイッチング機構１９を構成する各部材及びスイッチング機構１９に関係する周辺の部材と同じである。従って、スイッチング機構１１９等において、スイッチング機構１９及びスイッチング機構１１９に関係する周辺の部材と対応する部材には、スイッチング機構１９側の各部材の符号に１００を加算した符号を付してその説明を省略する。
【００４２】
又、スイッチング機構１１９側にも、スイッチング機構１９側に設けられた第１隔壁、第２隔壁を備えている。これらの隔壁のプッシャ１２１に対する機能は、スイッチング機構１９側の第１隔壁１１ｃ、第２隔壁１１ｅにおけるプッシャ２１に対する機能と同様であるため、同一符号を付して、その説明を省略する。
【００４３】
なお、スイッチング機構１１９のカム第１面部１２３ａは第３カム面に相当し、カム第２面部１２３ｂは第４カム面に相当する。
又、スイッチング機構１１９は、スイッチング機構１９が中立状態の時に同時に中立状態となるように、スイッチング機構１１９側の複数のカム突起１２３間の谷部は、スイッチング機構１９側の複数のカム突起２３間の谷部と対応するように形成されている。
【００４４】
前記スイッチング機構１１９において、カム突起１２３は突起に相当し、コンタクトホルダ１１７ａ、被押圧体１１８、支持部１１７ｂ，１１８ａは、付勢部材に相当する。
【００４５】
次に前記スイッチ装置１０の作用について、図１、５、６に基づいて説明する。
まず、スイッチング機構１９の作用について説明する。
【００４６】
なお、スイッチング機構１９、１１９は既に中立状態であるものとする。
さて、操作者は、オーディオ機器のボリュームを上げたいと思った場合には、前記回転ダイヤル１３を正回転（図１において反時計回り方向）させる。すると、カム本体２０は、前記シャフト１４を介して、反時計回り方向へ回転する。カム本体２０の反時計回り方向の回転時にカム第１面部２３ａと従動部２２の上端面２２ａの係合により、プッシャ２１には、ピン２６を回転中心として時計回り方向に回転モーメントが働く。しかし、第２押圧部２５が第２隔壁１１ｅに当接するとともに側端面２２ｂがガイド部１１ｄに当接しているため、プッシャ２１は回転せず、ガイド孔１２ａに沿って下方に移動する。このプッシャ２１の下動は、コンタクトホルダ１７ａ，支持部１７ｂ，被押圧体１８，支持部１８ａの付勢力に抗して行われる。
【００４７】
そして、コンタクトホルダ１７ａは、図５に示すように前記プッシャ２１の第１押圧部２４に上方から押され、前記可動接点１７ｃは、前記固定接点１７ｄに対して接続される。なお、コンタクトホルダ１７ａの移動距離は、離間距離ｘであり、プッシャ２１の移動距離ｙよりも短いが、その差分は、コンタクトホルダ１７ａ，支持部１１７ｂの撓み変形により吸収される。
【００４８】
この結果、スイッチ１７がスイッチングされオン状態にされる。なお、前記被押圧体１８は、前記第２押圧部２５に押圧された際、逃げスペースｓ２により、距離ｙ分の下動を許容する。
【００４９】
さらに、前記カム本体２０が反時計回り方向へ回転され、従動部２２がカム突起２３の頂点を越えると、前記プッシャ２１は、コンタクトホルダ１７ａ，支持部１７ｂ，被押圧体１８，支持部１８ａの付勢力によって、上方向に押される。
そして、前記従動部２２はカム突起２３間の谷部に当接し、前記スイッチング機構１９は中立状態に戻ることにより、スイッチ１７はオフ作動する。
【００５０】
この１回のオンオフ作動（スイッチング）により、スイッチ１７から１つのパルス信号が図示しない制御回路に入力され、制御回路は、入力された１つのパルス信号に基づいて所定量のボリュームアップを行う。また、プッシャ２１のカム突起２３による上下動の作用により、節度感が操作者に付与される。
【００５１】
次に、操作者は、オーディオ機器のボリュームを下げたいと思った場合には、前記回転ダイヤル１３を逆回転（図１において時計回り方向）させる。すなわち、前記カム本体２０は、前記シャフト１４を介して、時計回り方向へ回転する。
その結果、前記プッシャ２１は、前記従動部２２の側端面２２ｂと係合する前記カム第２面部２３ｂにより、左方向に押圧される。すなわち、前記プッシャ２１には、ピン２６を中心として第２方向としての反時計回り方向に回転モーメントが働く。
【００５２】
すると、プッシャ２１は、図６に示すように被押圧体１８，支持部１８ａの付勢力に抗して反時計回りに揺動し、その結果、前記第１押圧部２４は、前記コンタクトホルダ１７ａと離間する。従って、逆回転している状態においては、前記スイッチ１７は、スイッチングされずオフ状態を維持する。
【００５３】
一方、前記第２押圧部２５は、被押圧体１８を下方向に押圧する。この際、逃げスペースｓ２により、前記第２押圧部２５の押圧に伴う前記被押圧体１８の移動が許容される。
【００５４】
そして、さらに前記カム本体２０が時計回り方向へ回転され、従動部２２がカム突起２３の頂点を越えると、前記プッシャ２１は、被押圧体１８，支持部１８ａの付勢力によって、ピン２６を中心として、時計回り方向に揺動する。そして、前記従動部２２はカム突起２３間の谷部に当接し、前記スイッチング機構１９は中立状態に戻る。
【００５５】
ここで、プッシャ２１における反時計回りの揺動は、前記第１隔壁と第１押圧部２４が当接することにより、所定範囲で制限される。
次にスイッチング機構１１９の作用について説明する。
【００５６】
さて、スイッチング機構１９が中立状態の時にスイッチング機構１１９も同時に中立状態となるように、スイッチング機構１１９側の複数のカム突起１２３間の谷部は、前記スイッチング機構１９側の複数のカム突起２３間の谷部とそれぞれ対応するように形成されている。
【００５７】
前記カム本体２０を反時計回り方向へ回転した時、図１と逆側からスイッチング機構１１９を見るとカム本体１２０は時計回り方向へ回転している。すなわち、スイッチング機構１１９の作用は、上述した前記カム本体２０が時計回り方向へ回転している時のスイッチング機構１９の作用と同様である。従って、第２カムフォロワとしてのプッシャ１２１は、図１と逆側から見て、第４方向としての反時計回りに揺動回転し、スイッチ１１７はスイッチングされない。
【００５８】
そして、さらに前記カム本体１２０が回転されると、前記プッシャ２１は、被押圧体１１８，支持部１１８ａの付勢力によって、ピン１１６を中心として、時計回り方向に揺動し、その結果、スイッチング機構１１９は中立状態に戻る。すなわち、スイッチ１１７はオフ状態を維持する。
【００５９】
一方、前記カム本体２０を時計回り方向へ回転した時、逆方向からスイッチング機構１１９を見るとカム本体１２０は反時計回り方向へ回転している。すなわち、スイッチング機構１１９の作用は、上述した前記カム本体２０の反時計回り方向へ回転している時のスイッチング機構１９の作用と同様である。従って、プッシャ１２１は、第３方向としての下方向に移動し、前記コンタクトホルダ１１７ａを上方から押圧することにより、スイッチ１１７はスイッチングされ、オン状態となる。
【００６０】
そして、さらに前記カム本体１２０が回転されると、プッシャ１２１は、コンタクトホルダ１１７ａ，支持部１１７ｂ，被押圧体１１８，支持部１１８ａの付勢力によって、上方向に押される。その結果、スイッチング機構１１９は中立状態に戻り、スイッチ１１７はオフ作動する。
【００６１】
この１回のオンオフ作動により、スイッチ１７から１つのパルス信号が図示しない制御回路に入力され、制御回路は、入力された１つのパルス信号に基づいて所定量のボリュームダウンを行う。又、また、プッシャ１２１のカム突起１２３による上下動の作用により、節度感が操作者に付与される。
【００６２】
従って、上記実施形態によれば、以下のような効果を得ることができる。
（１）上記実施形態では、回転ダイヤル１３を有するスイッチ装置１０を、主に、カム突起２３、カム本体２０、プッシャ２１、スイッチ１７、及び被押圧体１８とを備えるスイッチング機構１９と、該スイッチング機構１９と同様な構造からなるスイッチング機構１１９とから構成している。
【００６３】
従って、回転ダイヤル１３を備えるスイッチ装置１０において、スイッチ１７を除いて、ロータリーエンコーダ等の電気的作用を持つ部品を備える必要がなく、比較的簡単な構造のみから前記スイッチ装置１０を形成したので、従来に比べて低コストで前記スイッチ装置１０を製造することができる。
【００６４】
（２）上記実施形態では、全く同じ部材から構成される２つのスイッチング機構を、上記実施形態におけるスイッチ装置１０の主要部として備えている。
従って、スイッチ装置１０の構成部材の生産において、関係部品の量産効果によるコストダウンを図ることができる。
【００６５】
（３）上記実施形態では、スイッチング機構１９とスイッチング機構１１９とを図２、３、４に示すように左右逆向きに配置した。
従って、回転ダイヤル１３を正回転した場合、スイッチ１７はスイッチングされる一方、スイッチ１１７はスイッチングされない。また、回転ダイヤル１３を逆回転した場合、スイッチ１１７はスイッチングされる一方、スイッチ１７はスイッチングされない。すなわち、二つのスイッチ１７及びスイッチ１１７を別々にスイッチング操作することができるため、オーディオのボリュームの上げ下げを、回転ダイヤル１３の回転方向に基づいて容易に行うことができる。その結果、ロータリエンコーダと同等に回転ステップ数に応じた入力情報を入力できるスイッチ装置を製造できる。
【００６６】
（４）上記実施形態では、スイッチ装置１０は、プッシャ２１を中立状態の位置に戻す被押圧体１８及び支持部１８ａを備えている。一方、スイッチング機構１１９においても同様な構造とした。
【００６７】
従って、回転ダイヤル１３の回転において、２方向の回転に伴って２種類の反復的な作用を施すことが可能となる。その結果、被押圧体１８、被押圧体１１８を設けずに、一方向の回転を禁止する回転禁止手段を備えたような場合と比較して、前記回転ダイヤル１３の操作感が向上する。
【００６８】
（５）上記実施形態では、カム本体２０は複数のカム突起２３を備えている。
一方、スイッチング機構１１９においても同様な構造とした。
従って、カム突起２３又はカム突起１２３が一つだけ設けられている場合と比較して、回転ダイヤル１３を少し回転させるだけで、スイッチ１７又はスイッチ１１７をスイッチングすることができる。
【００６９】
（６）上記実施形態では、被押圧体１８と基板１５との間に該被押圧体１８を収納するための逃げスペースｓ２を形成するとともに、該逃げスペースｓ２の高さを離間距離ｘよりも大きい距離ｚに形成した。一方、スイッチング機構１１９においても同様な構造とした。
【００７０】
従って、逃げスペースｓ２を設けない場合と比較して、前記被押圧体１８及び支持部１８ａ、被押圧体１１８及び支持部１１８ａの付勢力を有効に利用できる。その結果、プッシャ２１、プッシャ１２１の作動を円滑にすることでき、回転ダイヤル１３の操作感が向上される。
【００７１】
（７）上記実施形態では、上端面２２ａを、前記回転ダイヤル１３が正回転する際に、前記カム第１面部２３ａと係合し、摺接移動するように斜状に形成した。一方、スイッチング機構１１９においても同様な構造とした。
【００７２】
従って、正回転、逆回転時において、回転ダイヤル１３を円滑に回転させることができるとともに、回転に伴うスイッチングを滑らかに行うことができる。
（８）上記実施形態では、被押圧体１８の上面を、前記シャフト１４の軸線方向を向くように斜状に形成した。一方、スイッチング機構１１９においても同様な構造とした。
【００７３】
従って、プッシャ２１及びプッシャ１２１は、逆回転している状態から中立状態に戻る際において、適格に中立状態に戻ることができる。
（９）上記実施形態では、従動部２２には、その上端に鋭角部が形成され、中立状態において、コンタクトホルダ１７ａ、被押圧体１８の付勢力により鋭角部が前記各カム突起２３の谷部に当接されている。一方、スイッチング機構１１９においても同様な構造とした。
【００７４】
従って、回転ダイヤル１３の回転に伴うプッシャ２１及びプッシャ１２１における上下動の作用により、節度感が操作者に付与される。その結果、操作者は、スイッチ装置１０において所定のスイッチング操作が行われたことを認識することができる。
【００７５】
（第２実施形態）
本発明の第２実施形態を図７〜図９に基づいて説明する。第２実施形態では、第１実施形態と比して、３つの点で相違している。すなわち、スイッチング機構１１９の省略、プッシャ２１の形状、第３スイッチ要素の設置の点で異なる。
【００７６】
尚、第２実施形態を含む以下の各実施形態においては、既に説明した実施形態の構成と同一構成又は相当する構成については、同一番号を付しその重複説明を省略する。
【００７７】
なお、本実施形態中に記載する上、下、右、左については、文中において特に断らない限り、図７の紙面中における上、下、右、左をいう。また、図７に示す状態を中立状態、図８に示す状態を正回転している状態、図９に示す状態を逆回転している状態として説明する。
【００７８】
第２実施形態では、スイッチ装置８０は、回転ダイヤル１３に対して、一方向側のみにスイッチング機構７９を備えている。該スイッチング機構７９は、第１カム体としてのカム本体２０、第１カムフォロワとしてのプッシャ２１、第１スイッチ要素としてのスイッチ１７、第３スイッチ要素としてのスイッチ７７、付勢部材としての被押圧体１８から構成されている。
【００７９】
前記スイッチ７７は、前記スイッチ１７と同様な構造に形成されている。すなわち基板１５を覆うように上方に固着されたゴム板１６は、第１実施形態におけるゴム板１６と、新たにコンタクトホルダ７７ａ及び支持部７７ｂを一体形成した点で異なっている。
【００８０】
従って、コンタクトホルダ７７ａ、支持部７７ｂ、可動接点７７ｃ及び固定接点７７ｄから第３スイッチ要素としてのスイッチ７７が構成されている。
前記プッシャ２１は、第１実施形態におけるプッシャ２１の第２押圧部２５側の端部を延設して形成された第３押圧部２７を有している。該第３押圧部２７は、図８に示すように、プッシャ２１が第１方向としての下方向に中立状態の位置から平行に離間距離ｘ移動しても、前記コンタクトホルダ７７ａを押圧することがないように、左斜め上方に延出されている。一方、同第３押圧部２７は、図９に示すように、プッシャ２１が第２方向としての反時計回り方向に揺動する際において、前記コンタクトホルダ７７ａと当接するのに適するように斜状に延びて形成されている。従って、従動部２２、側端面２２ｂ、第１押圧部２４、第２押圧部２５及びピン２６からプッシャ２１が構成されている。
【００８１】
次に前記スイッチ装置８０の作用について説明する。
中立状態から前記回転ダイヤル１３を正回転した場合、すなわち前記カム本体２０を反時計回り方向へ回転した場合におけるスイッチ装置８０の作用は第１実施形態におけるスイッチ装置１０の作用と同様である。すなわち、図８に示すように、カム第１面部２３ａと従動部２２の上端面２２ａとの係合及び、プッシャ２１における支持構造により、前記プッシャ２１は、距離ｙ下動する。従って、前記第３押圧部２７は距離ｙ下動する。その結果、前記第３押圧部２７は、前記コンタクトホルダ７７ａを押圧することがないため、スイッチ７７はスイッチングされず、オフ状態を維持する。
【００８２】
次に、操作者は、オーディオ機器のボリュームを下げたいと思った場合に、前記回転ダイヤル１３を逆回転させる。すなわち、前記カム本体２０は、前記シャフト１４を介して、時計回り方向へ回転される。その結果、前記プッシャ２１は、前記ピン２６を中心にして、第２方向としての反時計回り方向へ揺動する。すると、コンタクトホルダ７７ａは、前記プッシャ２１の第３押圧部２７に上方から押され、前記可動接点７７ｃは、前記固定接点７７ｄに対して接続される。なお、コンタクトホルダ７７ａの移動距離は、離間距離ｘである。この結果、スイッチ７７がスイッチングされオン状態にされる。
【００８３】
さらに、前記カム本体２０が時計回り方向へ回転され、従動部２２がカム突起２３の頂点を越えると、前記プッシャ２１は、被押圧体１８，支持部１８ａ，コンタクトホルダ７７ａ，支持部７７ｂの付勢力によって、ピン２６を中心として、時計回り方向に揺動する。なお、コンタクトホルダ７７ａ，支持部７７ｂの付勢力は、第３押圧部２７がコンタクトホルダ７７ａから離間するまで作用し、被押圧体１８，支持部１８ａの付勢力は、常時作用する。そして、前記従動部２２はカム突起２３間の谷部に当接し、前記スイッチング機構７９は中立状態に戻り、その結果、スイッチ７７はオフ作動する。
【００８４】
この１回のオンオフ作動により、スイッチ１２７から１つのパルス信号が図示しない制御回路に入力され、制御回路は、入力された１つのパルス信号に基づいて所定量のボリュームダウンを行う。
【００８５】
従って、本実施形態によれば、以下のような効果を得ることができる。
（１０）第２実施形態では、スイッチング機構７９に第３スイッチ要素としてのスイッチ７７を設けるとともに、プッシャ２１にコンタクトホルダ７７ａを押圧するための第３押圧部２７を延設した。
【００８６】
従って、スイッチ７７が、前記第１実施形態のスイッチ１１７に代替して作用されることにより、前記第１実施形態に記載の効果（１），（３），（４），（５）に相当する効果が得られる。また、前記第１実施形態に記載の効果（６），（７），（８），（９）においては、スイッチング機構１１９を構成する部材が発揮する効果を除く効果は、なお維持、発揮されるため、本実施形態においても相当の効果が得られる。
【００８７】
また本実施形態によれば、上記記載の効果に加えて、１つのスイッチング機構のみで、上記諸効果を得ることができるため、回転ダイヤルを備えたスイッチ装置の製造コストをさらに下げることができる。
【００８８】
（１１）第２実施形態では、スイッチング機構７９に第３スイッチ要素としてのスイッチ７７を設けるとともに、プッシャ２１に第３押圧部２７を延設した。
従って、回転ダイヤルを備えたスイッチ装置を第１実施形態の場合と比較して、小型化することができる。
【００８９】
なお、上記各実施形態は以下のような別例に変更して具体化してもよい。
○第１実施形態では、二つのスイッチング機構１９及びスイッチング機構１１９を、回転ダイヤル１３を挟んで、かつ、左右逆向きに設けたが、図１０に示すようなスイッチ装置９０に形成してもよい。すなわち、回転ダイヤル１３を省略するとともに、カム本体２０とカム本体１２０とを併設して固着し、前記カム本体２０及びカム本体１２０からみて同方向に延びたシャフト１４の一端に前記回転ダイヤル１３を固着して形成してもよい。このようにスイッチ装置９０を形成すれば、回転ダイヤル１３全体を表面部１０ａから露出して形成することができる。
【００９０】
○被押圧体１８、コンタクトホルダ１７ａの下方にコイルスプリングを設けてもよい。このようにすれば、被押圧体１８、支持部１８ａ、コンタクトホルダ１７ａ及び支持部１７ｂのプッシャ２１に対する付勢力に、前記コイルスプリングが発揮する付勢力を加えることができる。
【００９１】
又、こうすると、被押圧体１８、支持部１８ａ、コンタクトホルダ１７ａ及び支持部１７ｂをゴム板１６と同材質ではなく、単に可撓性を備えた部材にて形成した場合、このコイルスプリングを付勢部材として機能させることができる。
【００９２】
すなわち、コイルスプリングにて、プッシャ２１（第１カムフォロワ）又はプッシャ１２１（第２カムフォロワ）を、カム本体２０（第１カム体）又はカム本体１２０（第２カム体）側へ付勢することができる。
【００９３】
○上記各実施形態では、スイッチ装置１０をオーディオのボリューム調整スイッチとして使用したが、例えば、エアコンの温度調整スイッチや、マウス等に使われているパソコン画面におけるカーソル位置調整スイッチ等の他のスイッチに使用してもよい。
【００９４】
○第１実施形態では、２つのスイッチング機構を有するスイッチ装置１０を形成したが、一方のスイッチング機構、例えば、スイッチング機構１１９を省略したスイッチ装置１０を形成してもよい。
【００９５】
次に、上記実施形態及び各別例から把握できる技術的思想について、それらの効果と共に以下に記載する。
（１）前記第１カムフォロワは、第２方向及び反第２方向へ揺動自在にかつ、第１方向及び反第１方向へ移動自在に支持されており、
前記第１カム体の周部には、第１突起が設けられ、
同第１突起には、
前記回転操作部材の正回転時に伴う同第１カム体の回転時に第１カムフォロワを押圧して、第２方向へ揺動させる第２カム面を備えたことを特徴とする請求項１〜請求項４のうちいずれか１項に記載のスイッチ装置。
【００９６】
（２）前記第２カムフォロワは、第３方向及び反第３方向へ揺動自在に、かつ、第４方向及び反第４方向へ移動自在に支持されており、
前記第２カムフォロワを押圧して、第４方向へ揺動させる第４カム面を備えたことを特徴とする請求項２又は請求項３に記載のスイッチ装置。
【００９７】
【発明の効果】
以上詳述したように、ロータリーエンコーダを使用しない回転ダイヤルを備えたスイッチ装置において、ロータリエンコーダと同等に回転ステップ数に応じた入力情報を入力することができ、しかも、ロータリエンコーダを備えたものよりも低コストで製造することができる。
【図面の簡単な説明】
【図１】この発明のスイッチ装置の中立状態を示す正断面図。
【図２】図１のスイッチ装置の側断面図。
【図３】図１のスイッチ装置の平面図。
【図４】図２におけるＡ−Ａ矢視断面図。
【図５】図１のスイッチ装置の正回転している状態を示す正断面図。
【図６】図１のスイッチ装置の逆回転している状態を示す正断面図。
【図７】この発明のスイッチ装置の第２の中立状態を示す正断面図。
【図８】この発明のスイッチ装置の第２の正回転している状態を示す正断面図。
【図９】この発明のスイッチ装置の第２の逆回転している状態を示す正断面図。
【図１０】この発明のスイッチ装置の別例を示す側断面図
【符号の説明】
１０，８０…スイッチ装置、
１３…回転操作部材としての回転ダイヤル
１７…第１スイッチ要素としてのスイッチ
１７…第１スイッチ要素としてのスイッチ、
１７ａ…付勢部材としてのコンタクトホルダ
１７ｂ…付勢部材としての支持部
１８，１１８…付勢部材としての被押圧体
１８ａ…付勢部材としての支持部
１９…第１カム体としてのカム本体
２１…第１カムフォロワとしてのプッシャ
２３，１２３…突起としてのカム突起
２３ａ…第１カム面としてのカム第１面部
２３ｂ…第２カム面としてのカム第２面部
７７…第３スイッチ要素としてのスイッチ
１１７…第２スイッチ要素としてのスイッチ
１２０…第２カム体としてのカム本体
１２１…第２カムフォロワとしてのプッシャ
１２３ａ…第３カム面としてのカム第１面部
１２３ｂ…第４カム面としてのカム第２面部
【図１】
2004063080.tif 000003
【図２】
2004063080.tif 000004
【図３】
2004063080.tif 000005
【図４】
2004063080.tif 000006
【図５】
2004063080.tif 000007
【図６】
2004063080.tif 000008
【図７】
2004063080.tif 000009
【図８】
2004063080.tif 000010
【図９】
2004063080.tif 000011
【図１０】
2004063080.tif 000012